(57)【要約】【課題】カップの高さに応じてカップ底部の支持高さを切り替えることが可能で、かつ切り替え時の操作性に優れたカップホルダを提供することを課題とする。【解決手段】カップホルダ１は、車両の内装部材に配置され、カップの底部を支持する支持部を備えてなるカップホルダ１であって、前記支持部は、前記内装部材に回動可能に枢支され、回動角度によりカップ底支持高さを切り替え可能な回動支持部３であることを特徴とする。本発明のカップホルダ１によると、回動支持部３の回動角度を変えることで、比較的簡単にカップ底支持高さを切り替えることができる。このため操作性に優れている。【選択図】  図２
2004345492.tif 000002
【特許請求の範囲】
【請求項１】
車両の内装部材に配置され、カップの底部を支持する支持部を備えてなるカップホルダであって、
前記支持部は、前記内装部材に回動可能に枢支され、回動角度によりカップ底支持高さを切り替え可能な回動支持部であることを特徴とするカップホルダ。
【請求項２】
さらに、前記回動支持部を開閉可能に覆う開閉蓋部を備え、該開閉蓋部の開閉操作により該回動支持部を回動させ前記カップ底支持高さを切り替える請求項１に記載のカップホルダ。
【請求項３】
さらに、前記回動支持部を回動方向に付勢する付勢部材を備え、前記開閉蓋部の開閉操作により該付勢部材に付勢力が蓄積され、該蓄積された付勢力を開放することにより該回動支持部を回動させ前記カップ底支持高さを切り替える請求項２に記載のカップホルダ。
【発明の詳細な説明】
【０００１】
【発明の属する技術分野】
本発明は、車両の内装部材に配置されるカップホルダに関する。
【０００２】
【従来の技術】
カップホルダは、紙コップ、ジュース缶、ペットボトルなど（以下、「カップ」と総称する）を保持するための部材である。カップホルダにおいては、保持対象であるカップの高さと、カップホルダの深さとの関係が問題となる。すなわち、カップホルダ深さに対してカップが高すぎると、カップがカップホルダから過度に突出してしまう。このため、突出したカップが、他の車載機器の操作の邪魔になるおそれがある。一方、カップホルダ深さに対してカップが低すぎると、カップのカップホルダに対する突出量が小さくなる。このため、カップホルダからカップを取り出しにくくなる。
【０００３】
この点に鑑み、特許文献１には、カップホルダ深さを切り替え可能なカップホルダが紹介されている。図６に、同文献記載のカップホルダの断面図を示す。図に示すように、カップホルダ１００は円筒状を呈している。カップホルダ１００の内周側には、カップ収容スペース１０１が区画されている。一方、カップホルダ１００の外周面には、ホルダ側ネジ部１０２が形成されている。カップホルダ１００は、内装部材１０３の凹部１０４に埋設されている。凹部１０４の底面１０６により、カップの底部が支持される。凹部１０４の内周面には、凹部側ネジ部１０５が形成されている。この凹部側ネジ部１０５は、前記ホルダ側ネジ部１０２と螺合している。
【０００４】
カップホルダ１００を回動させると、凹部側ネジ部１０５に対してホルダ側ネジ部１０２が螺動する。これにより、カップホルダ１００は、凹部１０４に対して上昇あるいは下降する。このようにして、同文献記載のカップホルダ１００においては、カップホルダ１００頂面から底面１０６までの高さ、つまりカップホルダ深さを切り替えている。
【０００５】
【特許文献１】
実開平５−４１９５６号公報
【０００６】
【発明が解決しようとする課題】
しかしながら、同文献記載のカップホルダ１００によると、カップ高さが比較的高い場合、このカップ高さに応じてカップホルダ１００を上昇させる必要がある。このため、カップホルダ１００自体が内装部材１０３から過度に突出してしまう。したがって、突出したカップホルダ１００が、他の車載機器の操作の邪魔になるおそれがあった。
【０００７】
また、カップホルダ１００を上昇させ過ぎると、凹部側ネジ部１０５とホルダ側ネジ部１０２との螺合が外れ、カップホルダ１００が凹部１０４から脱落するおそれがあった。
【０００８】
さらに、カップホルダ深さを切り替える際に、所望の深さになるまで、操作者はカップホルダ１００を何回も捻り、回動させる必要があった。このため、煩雑であった。このように、同文献記載のカップホルダ１００は操作性が悪かった。
【０００９】
本発明のカップホルダは、上記課題に鑑みて完成されたものである。したがって、本発明は、カップの高さに応じてカップ底部の支持高さを切り替えることが可能で、かつ切り替え時の操作性に優れたカップホルダを提供することを目的とする。
【００１０】
【課題を解決するための手段】
（１）上記課題を解決するため、本発明のカップホルダは、車両の内装部材に配置され、カップの底部を支持する支持部を備えてなるカップホルダであって、前記支持部は、前記内装部材に回動可能に枢支され、回動角度によりカップ底支持高さを切り替え可能な回動支持部であることを特徴とする。
【００１１】
前出図６のカップホルダ１００の場合、底面１０６の高さは変化しなかった。このため、前述したように、カップ高さが比較的高い場合は、カップホルダ１００自体が内装部材１０３から過度に突出してしまっていた。
【００１２】
これに対し、本発明のカップホルダは、回動支持部の回動角度を変えることにより、カップ底支持高さ（前出図６の底面１０６高さに相当）を切り替えることができる。したがって、カップ高さが比較的高い場合は、カップ底支持高さを低く切り替えることができる。このため、カップホルダ自体は勿論、カップが内装部材から過度に突出してしまうおそれが小さい。また、カップ高さが高くても低くても、カップ底支持高さを切り替えることにより、カップホルダに対するカップの突出量をほぼ均一化することができる。また、本発明のカップホルダによると、回動支持部の回動角度を変えることで、比較的簡単にカップ底支持高さを切り替えることができる。このように、本発明のカップホルダは操作性に優れている。
【００１３】
（２）好ましくは、さらに、前記回動支持部を開閉可能に覆う開閉蓋部を備え、該開閉蓋部の開閉操作により該回動支持部を回動させ前記カップ底支持高さを切り替える構成とする方がよい。
【００１４】
本構成によると、開閉蓋部の開閉操作と、カップ支持高さの切り替えとがリンクしている。このため、開閉操作と切り替えとを各々独立して行う場合と比較して、操作性に優れている。なお、本構成における「開閉操作」とは、開操作および閉操作のうち少なくとも一方をいう。
【００１５】
（３）好ましくは、上記（２）の構成において、さらに、前記回動支持部を回動方向に付勢する付勢部材を備え、前記開閉蓋部の開閉操作により該付勢部材に付勢力が蓄積され、該蓄積された付勢力を開放することにより該回動支持部を回動させ前記カップ底支持高さを切り替える構成とする方がよい。
【００１６】
本構成によると、例えば電力などにより回動支持部を駆動する場合と比較して、カップホルダの構造が簡単になる。このため、故障に対する信頼性が高くなる。また、製造コストが低くなる。また、組み付けが容易になる。また、バッテリの電力消費を抑制することができる。さらに、イグニッションキーがＯＦＦの場合であっても、切り替えを行うことができる。
【００１７】
また、付勢部材を介することにより、開閉蓋部の開閉操作に用いた操作力を、回動支持部の回動力として回生することができる。なお、本構成における「開閉操作」とは、開操作および閉操作のうち少なくとも一方をいう。
【００１８】
【発明の実施の形態】
以下、本発明のカップホルダの実施の形態について説明する。
【００１９】
まず、本実施形態のカップホルダの構成について説明する。図１に、本実施形態のカップホルダの外観図を示す。図に示すように、カップホルダ１は、フロントコンソールパネル２に形成された凹部２０に埋設されている。フロントコンソールパネル２は、本発明の内装部材に含まれる。凹部２０の側壁内面からは、カップ側壁を支持する支持片２１が突設されている。
【００２０】
図２に、本実施形態のカップホルダの分解斜視図を示す。図に示すように、カップホルダ１は、回動支持部３と、開閉蓋部４と、蓋部揺動アーム５ａ、５ｂと、スプリング６と、ギア７と、ボタン部材８と、を備えている。
【００２１】
回動支持部３は、樹脂製であって一面が開口する直方体箱状を呈している。回動支持部３は、前出図１の凹部２０の底部に配置されている。回動支持部３の長手方向に対向する二壁外面からは、それぞれ回動軸３０が突設されている。一対の回動軸３０は、前出図１の凹部２０側壁に、回動可能に枢支されている。すなわち、回動支持部３は、回動軸３０を中心に、回動可能である。回動支持部３の長手方向に対向する二壁のうち一方の壁の外面からは、回動軸３０に隣接して、ピン３１が突設されている。また、回動軸３０を挟んで、ピン３１の反対側には、ボタン部材係合片３２が配置されている。
【００２２】
開閉蓋部４は、樹脂製であって矩形板状を呈している。開閉蓋部４は、回動支持部３を開閉可能に覆っている。開閉蓋部４内面の長手方向両端には、一対の蓋部揺動片４０ａ、４０ｂが突設されている。蓋部揺動片４０ａには、蓋部揺動孔４１ａが穿設されている。蓋部揺動片４０ｂには、蓋部揺動孔４１ｂが穿設されている。
【００２３】
スプリング６は、金属製であって、回動軸３０に環装されている。スプリング６は、本発明の付勢部材に含まれる。スプリング６の一端６０は、回動支持部３に固定されている。スプリング６の他端６１は、前出図１の凹部２０に固定されている。
【００２４】
ギア７は、樹脂製であって、スプリング６の外方から、回動軸３０に環装されている。ギア７には、弧状のガイド溝７０が形成されている。ガイド溝７０には、前記ピン３１が挿入されている。
【００２５】
蓋部揺動アーム５ａ、５ｂは、樹脂製であって細板状を呈している。蓋部揺動アーム５ａの一端からは、蓋部揺動軸５０ａが突設されている。蓋部揺動軸５０ａは、前記蓋部揺動孔４１ａに挿入されている。また、蓋部揺動アーム５ａの他端からは、アーム揺動軸５１ａが突設されている。アーム揺動軸５１ａは、前出図１の凹部２０側壁に、揺動可能に枢支されている。同様に、蓋部揺動アーム５ｂの一端からは、蓋部揺動軸５０ｂが突設されている。蓋部揺動軸５０ｂは、前記蓋部揺動孔４１ｂに挿入されている。また、蓋部揺動アーム５ｂの他端からは、アーム揺動軸５１ｂが突設されている。アーム揺動軸５１ｂは、前出図１の凹部２０側壁に、揺動可能に枢支されている。したがって、開閉蓋部４は、蓋部揺動軸５０ａ、５０ｂを中心に、揺動可能である。また、蓋部揺動アーム５ａは、アーム揺動軸５１ａを中心に、揺動可能である。また、蓋部揺動アーム５ｂは、アーム揺動軸５１ｂを中心に、揺動可能である。また、蓋部揺動アーム５ａには、下方に広がる扇ギア５２が形成されている。扇ギア５２は、前記ギア７と噛合している。
【００２６】
ボタン部材８は、樹脂製であって釘状を呈している。ボタン部材８は、蓋部揺動アーム５ａの外方に配置されている。ボタン部材８の上端には、押圧部８０が形成されている。前出図１に示すように、押圧部８０は、凹部２０側方から車室内に表出している。一方、ボタン部材８の下端には、フック８１が形成されている。フック８１は、前記ボタン部材係合片３２と係合可能である。ボタン部材８の上端付近からは、ボタン部材揺動軸８２が突設されている。ボタン部材揺動軸８２は、前出図１の凹部２０側壁に、揺動可能に枢支されている。すなわち、ボタン部材８は、ボタン部材揺動軸８２を中心に、揺動可能である。
【００２７】
次に、本実施形態のカップホルダの動きについて説明する。図３に、本実施形態のカップホルダのカップ底支持高さが低い位置（以下、「低位置」と称す）における透過図を示す。図４に、本実施形態のカップホルダの開閉蓋部が閉じられている位置（以下、「閉位置」と称す）における透過図を示す。図５に、本実施形態のカップホルダのカップ底支持高さが高い位置（以下、「高位置」と称す）における透過図を示す。なお、これらの図において、前出図１の支持片２１は省略して示す。
【００２８】
まず、低位置→閉位置の切り替えについて説明する。図３に示すように、低位置においては、回動支持部３は、開口が上を向くように配置されている。開口内には、ペットボトル９０（図中、一点鎖線で示す）のような比較的背の高いカップが挿入される。スプリング６は、回動支持部３を、図中時計回り方向に付勢している。一方、凹部２０底部には、三角形板状の回動ストッパ２２が配置されている。回動支持部３の一端は、スプリング６の付勢力により、回動ストッパ２２に押し付けられている。この押し付けにより、回動支持部３は低位置に固定されている。
【００２９】
操作者が、開閉蓋部４先端を把持し、図中右方向に力を加えると、蓋部揺動アーム５ａは、アーム揺動軸５１ａを中心に、図中時計回り方向に揺動する。また、開閉蓋部４は、揺動する蓋部揺動軸５０ａを中心に、図中時計回り方向に揺動する。蓋部揺動アーム５ａの扇ギア５２は、ギア７と噛合している。このため、ギア７は、回動軸３０を中心に、図中反時計回り方向に揺動する。ギア７のガイド溝７０の時計回り方向端には、ピン３１が配置されている。このため、ピン３１つまり回動支持部３も、図中反時計回り方向に揺動する。回動支持部３には、スプリング６の一端６０が固定されている。このため、スプリング６の一端６０も、図中反時計回り方向に揺動する。この揺動により、スプリング６に付勢力が蓄積される。回動支持部３は、ボタン部材係合片３２がフック８１に係止されるまで、回動する。すなわち、回動支持部３は、ほぼ１８０°回動する。つまり、回動支持部３の開口は上向きから下向きになる。なお、回動支持部３には、回動時における回動ストッパ２２との干渉を避けるため、ストッパ避け溝３３（図中点線で示す）が凹設されている。回動支持部３がほぼ１８０°回動すると、開閉蓋部４は凹部２０を完全に覆う。このようにして、低位置→閉位置の切り替えが行われる。
【００３０】
続いて、閉位置→高位置の切り替えについて説明する。図４に示すように、閉位置においては、開閉蓋部４は、フロントコンソールパネル２とほぼ面一に配置されている。また、スプリング６の一端６０と他端６１とは、近接している。また、回動支持部３のボタン部材係合片３２は、スプリング６の付勢力により、フック８１に係止されている。
【００３１】
操作者が、開閉蓋部４先端を押圧すると、プッシュオープン機構（図略）により、開閉蓋部４が図中左方向に開く。すなわち、蓋部揺動アーム５ａは、アーム揺動軸５１ａを中心に、図中反時計回り方向に揺動する。また、開閉蓋部４は、揺動する蓋部揺動軸５０ａを中心に、図中反時計回り方向に揺動する。蓋部揺動アーム５ａの扇ギア５２は、ギア７と噛合している。このため、ギア７は、回動軸３０を中心に、図中時計回り方向に揺動する。ギア７は、相対的に、ピン３１がガイド溝７０内の反時計回り方向端に移動するまで、回動する。このようにして、閉位置→高位置の切り替えが行われる。
【００３２】
続いて、高位置→低位置の切り替えについて説明する。図５に示すように、高位置においては、スプリング６の一端６０と他端６１とは、近接したままである。また、回動支持部３のボタン部材係合片３２は、スプリング６の付勢力により、フック８１に係止されたままである。高位置においては、回動支持部３は、開口が下を向くように配置されている。回動支持部３上面には、紙コップ９１（図中、一点鎖線で示す）のような比較的背の低いカップが載置される。
【００３３】
操作者が、ボタン部材８の押圧部８０を押圧すると、ボタン部材８は、ボタン部材揺動軸８２を中心に、図中反時計回り方向に揺動する。この揺動により、フック８１がボタン部材係合片３２から外れる。フック８１が外れると、蓄積されていたスプリング６の付勢力により、回動支持部３が図中時計回り方向に、ほぼ１８０°回動する。このとき、ピン３１は、ガイド溝７０内を、反時計回り方向端から時計回り方向端まで移動する。回動により、回動支持部３の開口は下向きから上向きになる。このようにして、高位置→低位置の切り替えが行われる。
【００３４】
次に、本実施形態のカップホルダの効果について説明する。本実施形態のカップホルダ１は、回動支持部３の回動角度を１８０°変えることにより、カップ底支持高さ（前出図６の底面１０６高さに相当）を切り替えることができる。したがって、ペットボトル９０のようにカップ高さが比較的高い場合は、カップ底支持高さを低く切り替えることができる。このため、カップホルダ１自体は勿論、カップがフロントコンソールパネル２から過度に突出してしまうおそれが小さい。
【００３５】
また、本実施形態のカップホルダ１によると、カップ高さが高いペットボトル９０を支持しても（図３参照）、カップ高さが低い紙コップ９１を支持しても（図５参照）、カップ底支持高さを切り替えることにより、カップホルダ１に対するカップの突出量、つまりフロントコンソールパネル２上面からのカップの突出量を、ほぼ均一化することができる。
【００３６】
また、本実施形態のカップホルダ１によると、回動支持部３の回動角度を１８０°変えるだけで、カップ底支持高さを切り替えることができる。したがって、本実施形態のカップホルダ１は操作性に優れている。
【００３７】
また、本実施形態のカップホルダ１によると、開閉蓋部４の閉操作と、閉位置→高位置の切り替えとがリンクしている。このため、開閉蓋部４の開閉操作と切り替えとを各々独立して行う場合と比較して、操作性に優れている。
【００３８】
また、本実施形態のカップホルダ１によると、スプリング６の付勢力により、高位置→低位置の切り替えを行っている。このため、例えば電力などにより切り替えを行う場合と比較して、カップホルダ１の構造が簡単になる。また、バッテリの電力消費を抑制することができる。さらに、イグニッションキーがＯＦＦの場合であっても、切り替えを行うことができる。
【００３９】
また、本実施形態のカップホルダ１によると、スプリング６を介することにより、開閉蓋部４の閉操作に用いた操作力を、回動支持部３の回動力として回生することができる。
【００４０】
また、本実施形態のカップホルダ１によると、閉位置において、開閉蓋部４とフロントコンソールパネル２とは、ほぼ面一に配置されている。このため、意匠性に優れている。
【００４１】
以上、本発明のカップホルダ１の実施の形態について説明した。しかしながら、実施の形態は上記形態に特に限定されるものではない。当業者が行いうる種々の変形的形態、改良的形態で実施することも可能である。
【００４２】
例えば、上記実施形態においては、付勢部材としてスプリング６を用いたが、ゴムなどを用いてもよい。また、上記実施形態においては、回動支持部３の回動角度を１８０°ごとに切り替えたが、切り替え角度は特に限定しない。例えば、４５°、９０°、１２０°などであってもよい。切り替え角度を多く設定すると、より多段階にカップ底支持高さを切り替えることができる。したがって、より多様なカップ高さに対応することができる。また、上記実施形態においては、フロントコンソールパネル２にカップホルダ１を配置したが、例えばセンタークラスタパネル、リアの席間アームレストなどに配置してもよい。
【００４３】
【発明の効果】
本発明によると、カップの高さに応じてカップ底部の支持高さを切り替えることが可能で、かつ切り替え時の操作性に優れたカップホルダを提供することができる。
【図面の簡単な説明】
【図１】本発明の一実施形態のカップホルダの外観図である。
【図２】本発明の一実施形態のカップホルダの分解斜視図である。
【図３】本発明の一実施形態のカップホルダの低位置における透過図である。
【図４】本発明の一実施形態のカップホルダの閉位置における透過図である。
【図５】本発明の一実施形態のカップホルダの高位置における透過図である。
【図６】従来のカップホルダの断面図である。
【符号の説明】
１：カップホルダ、２：フロントコンソールパネル（内装部材）、２０：凹部、２１：支持片、２２：回動ストッパ、３：回動支持部、３０：回動軸、３１：ピン、３２：ボタン部材係合片、３３：ストッパ避け溝、４：開閉蓋部、４０ａ：蓋部揺動片、４０ｂ：蓋部揺動片、４１ａ：蓋部揺動孔、４１ｂ：蓋部揺動孔、５ａ：蓋部揺動アーム、５ｂ：蓋部揺動アーム、５０ａ：蓋部揺動軸、５０ｂ：蓋部揺動軸、５１ａ：アーム揺動軸、５１ｂ：アーム揺動軸、５２：扇ギア、６：スプリング（付勢部材）、６０：一端、６１：他端、７：ギア、７０：ガイド溝、８：ボタン部材、８０：押圧部、８１：フック、８２：ボタン部材揺動軸、９０：ペットボトル、９１：紙コップ。
【図１】
2004345492.tif 000003
【図２】
2004345492.tif 000004
【図３】
2004345492.tif 000005
【図４】
2004345492.tif 000006
【図５】
2004345492.tif 000007
【図６】
2004345492.tif 000008